(57)【要約】      （修正有）【課題】既設管に仮配管を挿入させて流路を迂回させる場合に、簡易な手段で確実な止水を行える止水装置を提供する。【解決手段】既設管３の端部側からその内部に小径の仮配管２を挿入することで流路を迂回させる際に用いる止水装置１であって、止水装置１は、仮配管２の外周の一部または全部に設置し、流体の注入により既設管３側に膨張変形する隆起部材と、隆起部材よりも既設管３側に設置する止水部材１１と、止水部材１１の流水に対する下流側端部を仮配管２に固定する固定部材と、を備えており、隆起部材の膨張変形によって、止水部材１１の流水に対する上流側端部を既設管３側に持ち上げ、止水部材１１の上流側端部が既設管３内壁面に摺接することで、既設管３と仮配管２との間隙を閉塞する。【選択図】図３
2013072175.tif 000002
【特許請求の範囲】
【請求項１】
既設管の端部側からその内部に小径の仮配管を挿入することで流路を迂回させる際に用いる止水装置であって、
前記止水装置は、
前記仮配管の外周の一部または全部に設置し、流体の注入により前記既設管側に膨張変形する隆起部材と、
前記隆起部材よりも前記既設管側に設置する止水部材と、を備えており、
前記止水部材が前記流路の下流側で前記仮配管に固定されている、
ことを特徴とする止水装置。
【請求項２】
既設管の端部側からその内部に小径の仮配管を挿入することで流路を迂回させる際に用いる止水装置であって、
前記止水装置は、
前記既設管と前記仮配管との間隙を調整するための、前記仮配管の外周の一部または全部に設置する間隙調整部材と、
前記間隙調整部材に設置し、流体の注入により前記既設管側に膨張変形する隆起部材と、
前記隆起部材よりも前記既設管側に設置する止水部材と、を備えており、
前記止水部材が前記流路の下流側で前記間隙調整部材に固定されている、
ことを特徴とする止水装置。
【請求項３】
前記止水部材は、
前記固定部材によって固定される固定部と、前記既設管の内壁面に摺接する自由端部と、前記固定部と前記自由端部との間に位置する閉塞部とを備え、
前記閉塞部に、前記止水部材の弾性変形を規制して剛性を補強するための支持部材を備える、
ことを特徴とする請求項１または請求項２に記載の止水装置。
【発明の詳細な説明】
【技術分野】
【０００１】
本発明は止水装置に関する。特に、配管の切替や流路変更などの際に、既設管に仮配管を挿入させて流水を迂回させる場合に用いる止水装置に関する。
【背景技術】
【０００２】
地中などに埋設された配管を切り替えたり、流路変更を行う際には、配管内を流れる水を止め、作業場所に水が流れ込まないようにする必要がある。
【０００３】
これに対し、従来では、作業場所の上流部に土嚢を積み上げて流水をせき止めてポンプなどの排水設備を用いて流水を迂回させる方法がある。しかし、この場合、土嚢で流水を完全にせき止めることは困難であり、また流水量が突発的に増えた場合に速やかに対処をすることができない問題点がある。
【０００４】
また、スーパープラグシステム工法と呼ばれる工法を使用して流水を迂回させる方法もある。スーパープラグシステム工法は、上下水道などの配管の切替や流路変更の際に、一端に耐圧密閉開閉蓋を設けた筒型管（スーパープラグ）を用い、当該耐圧密閉開閉蓋を開閉することで、既設管の流水を仮配管に迂回させる方法である。スーパープラグシステム工法で用いる装置を下記特許文献１に示す。しかし、この場合、配管径が異なるなど特殊な配管での作業などの際には、当該工法に用いるスーパープラグがオーダーメイドとなるため、比較的高価になってしまう問題点がある。
【０００５】
そこで、より安価で簡便な方法として、既設の配管に、流水を迂回させる仮配管を挿入し、既設管と仮配管の接続部でゴムチューブを膨らませるなどで止水を行う方法が採られることもある。
【先行技術文献】
【特許文献】
【０００６】
【特許文献１】特開２００７−２６４４号公報
【発明の概要】
【発明が解決しようとする課題】
【０００７】
既設の配管に仮配管を挿入し、ゴムチューブを膨らませることで止水を行う方法の場合、ゴムチューブ内の膨張力によって、ゴムチューブを配管の内壁に押圧して、既設管と仮配管との間隙を閉塞している。従って、ゴムチューブを配管の内壁に押圧する際の圧力は膨張力だけに依存する。その結果、流水を完全に止めることが難しく、漏水が発生しやすい。また、ゴムチューブは膨らみやすいように、比較的薄い材料を用いるため、仮に配管の内壁に突起物等があった場合には、ゴムチューブに穴を開けてしまい、破損を起こしやすいという問題点もある。すなわち、簡便な方法によれば完全な止水が困難であり、また破損等の止水装置に対する損傷も発生しやすい課題がある。
【課題を解決するための手段】
【０００８】
本願発明者は上記課題に鑑み、既設管に仮配管を挿入させて流路を迂回させる場合に用いる止水装置を発明した。
【０００９】
第１の発明は、既設管の端部側からその内部に小径の仮配管を挿入することで流路を迂回させる際に用いる止水装置であって、前記止水装置は、前記仮配管の外周の一部または全部に設置し、流体の注入により前記既設管側に膨張変形する隆起部材と、前記隆起部材よりも前記既設管側に設置する止水部材と、を備えており、前記止水部材が前記流路の下流側で前記仮配管に固定されている、止水装置である。
【００１０】
本発明では、止水装置を仮配管側に取り付け、隆起部材の膨張変形によって、止水部材の流水に対する上流側端部を既設管側に持ち上げ、止水部材の上流側端部が既設管の内壁面に摺接することで、既設管と仮配管との間隙を閉塞する。止水部材には、既設管からの流水による流水圧がかかるが、上記の構成から、止水部材にかかる流水圧を利用して止水部材を既設管により密着させることが可能となる。そのため、流水量が多い場合であっても、閉塞を確実に行うことが出来る。また、止水装置は仮配管に設置することから、既設管に対する損傷が発生することもないし、止水部材が既設管の内壁に摺接することで既設管と仮配管との間隙を閉塞するので、仮に既設管の内壁に突起物等があっても、膨張、収縮する隆起部材が直接外部と接触しないため、止水装置自体への損傷も発生しにくくなる。
【００１１】
第２の発明は、既設管の端部側からその内部に小径の仮配管を挿入することで流路を迂回させる際に用いる止水装置であって、前記止水装置は、前記既設管と前記仮配管との間隙を調整するための、前記仮配管の外周の一部または全部に設置する間隙調整部材と、前記間隙調整部材に設置し、流体の注入により前記既設管側に膨張変形する隆起部材と、前記隆起部材よりも前記既設管側に設置する止水部材と、を備えており、前記止水部材が前記流路の下流側で前記間隙調整部材に固定されている、止水装置である。
【００１２】
既設管と仮配管との間隙は必ずしも一定とは限らず、既設管の径が大きくなると、同一の止水装置を用いただけでは、既設管と仮配管との間隙を閉塞することが出来ない場合がある。そのような場合には、止水装置に間隙調整部材を設けることで、既設管と仮配管との間隙を閉塞するように構成する。このように構成することによって、第１の発明と同様の技術的効果、すなわち、流水量が多い場合であっても、止水装置による閉塞を確実に行い、漏水を防止することが出来る。また、止水装置および間隙調整部材は仮配管に設置することから、既設管に対する損傷が発生することもないし、止水部材が既設管の内壁に摺接することで既設管と仮配管との間隙を閉塞するので、仮に既設管の内壁に突起物等があっても、膨張、収縮する隆起部材が直接外部と接触しないため、止水装置自体への損傷も発生しにくくなる。
【００１３】
上述の各発明において、前記止水部材は、前記固定部材によって固定される固定部と、前記既設管の内壁面に摺接する自由端部と、前記固定部と前記自由端部との間に位置する閉塞部とを備え、前記閉塞部に、前記止水部材の弾性変形を規制して剛性を補強するための支持部材を備える、止水装置のように構成することもできる。
【００１４】
本発明のように、止水部材に支持部材を備えることで、流水圧が強くなったとしても、支持部材の剛性により、止水部材が下流側に反転してしまうことを防止でき、既設管の内壁の閉塞状態を維持することが可能となる。すなわち、止水部材の閉塞部には既設管の流水による流水圧がかかり、止水部材を隆起させた支点を中心とした下流側へのトルクが止水部材に発生する。しかし、止水部材の閉塞部に、止水部材の弾性変形を規制して剛性を補強する支持部材が配置されることによって、該支点よりも下流側に止水部材が移動することがない。むしろ、流水量が多い場合には、強い流水圧がかかることで、支持部材が止水部材の自由端部を既設管の内壁に強く押圧する。そのため、流水圧が強くなっても既設管の内壁の閉塞状態を維持することが可能となる。
【発明の効果】
【００１５】
本発明の止水装置を用いることによって、既設管に仮配管を挿入させて流水を迂回させる場合に、簡易な手段で確実に止水することが出来る。また、既設管に損傷を与えることもないので、既設管からの漏水なども懸念する必要がなくなり、さらに、止水装置に対する損傷も発生しにくい。
【００１６】
また、既設管内の流水を止めずに作業が出来、突発的に流量が増えたとしても、その流水圧を利用して止水部材が既設管の内壁に密着するので、完全に止水出来る。そのため、配管の切替や流路変更部でのコンクリートの打設作業などを問題なく行うことが可能となる。
【図面の簡単な説明】
【００１７】
【図１】流水を迂回させるために、既設管に仮配管を挿入させた状態を模式的に示す図である。
【図２】実施例１の止水装置を仮配管に取り付けた場合の図である。
【図３】図１のＡ付近の拡大断面図である。
【図４】実施例１の止水部材の詳細図である。
【図５】実施例１の止水装置において、流体が注入されていない状態の断面図である。
【図６】実施例１の止水装置において、流体の注入が開始された中途状態の断面図である。
【図７】実施例１の止水装置において、流体の注入が終了し、止水部材で既設管と仮配管との間隙を閉塞した状態の断面図である。
【図８】実施例１の止水装置において、流水を抑止する状態を示す断面図である。
【図９】実施例２の止水装置を仮配管に取り付けた場合の図である。
【図１０】実施例２の止水部材の詳細図である。
【図１１】実施例２の止水部材の長さ関係を示す図である。
【図１２】実施例２の止水装置において、流体の注入が終了し、止水部材で既設管と仮配管との間隙を閉塞した状態の断面図である。
【図１３】実施例２の止水装置において、流水を抑止する状態を示す断面図である。
【図１４】実施例３の止水装置において、流体が注入されていない状態の断面図である。
【図１５】実施例３の止水装置において、流体の注入が開始された中途状態の断面図である。
【図１６】実施例３の止水装置において、流体の注入が終了し、止水部材で既設管と仮配管との間隙を閉塞した状態の断面図である。
【図１７】実施例４において、止水装置を固定用鋼材に取り付けた状態を模式的に示す図である。
【図１８】図１７のＢ付近の拡大断面図である。
【発明を実施するための形態】
【００１８】
本発明の止水装置１は、上下水道などの液体が流れる配管の切替や流路変更などの際に、既設管３に仮配管２を挿入して、中を流れる上水や下水等を迂回させる場合に用いる。図１に、既設管３と、既設管３の上半分を除去し、そこに仮配管２を挿入させた状態の断面図を示す。図１において除去面は波線で示されている。また、わかりやすさのため、止水装置１を配管に対して大きく示しているが、実際には、既設管３と仮配管２との間隙に合わせた止水装置１を適宜用いればよい。
【００１９】
なお本発明の止水装置１には、主に４通りの実施態様がある。第１の実施態様（実施例１）は、本発明の止水装置１を仮配管２の上流側先端付近に、仮配管２の外周に沿って取り付けた場合、第２の実施態様（実施例２）は、止水装置１の後述する止水部材１１に支持部材１１１を備えた場合、第３の実施態様（実施例３）は、止水装置１の後述するシール膜１２の代わりに、ゴムチューブ１５とずれ防止部材１６とを用いた場合、第４の実施態様（実施例４）は、止水装置１に固定用鋼材１７を用いた場合である。
【００２０】
なお、本明細書において、上流、下流とは、既設管３から仮配管２に流れる流水に対するものである。
【実施例１】
【００２１】
図２に示すように、本発明の止水装置１は、仮配管２の上流側先端付近に、仮配管２の外周に沿って取り付けられる。図２では仮配管２の外周上に止水装置１が取り付けられる場合を模式的に示しているが、仮配管２の上方付近まで水が流れてこないことが明らかに分かっている場合には、想定される最大水位の高さ付近まで止水装置１が設置されているだけであっても良い。また図１のＡ付近の拡大図が図３である。
【００２２】
止水装置１は、シール膜１２と止水部材１１と固定具１４と注入管１３とを有している。シール膜１２は、筒状のゴム膜などの弾性体を仮配管２の外周に沿って設置しており、シール膜１２を仮配管２に取り付けた状態における上流側端部および下流側端部に複数の孔部が設けられている。また、シール膜１２には、厚手のゴム板などで筒状に形成された止水部材１１を重ねて配置する。止水部材１１をシール膜１２の上に重ねて配置した状態において、シール膜１２の下流側端部の孔部に対応する位置に、止水部材１１の下流側端部にも複数の孔部１１２を設ける。
【００２３】
そして、固定具１４ａ（ボルトなど）を、シール膜１２の下流側端部の孔部と止水部材１１の孔部１１２に挿通させ、シール膜１２と止水部材１１とを仮配管２に固定する。また、固定具１４ｂを、シール膜１２の上流側端部の孔部に挿通させ、シール膜１２を同様に仮配管２に固定する。従って、シール膜１２の上流側端部および下流側端部はともに固定されているが、止水部材１１の上流側は自由端となっている。
【００２４】
仮配管２の上流側先端付近には、一箇所以上の孔部２１が穿設されており、孔部２１はシール膜１２によって外側から被覆されている。仮配管２の内側には、水などの液体や空気などの気体（以下、「流体」という）を送り込むための注入管１３が配管されており、注入管１３の先端は、上記孔部２１に接合している。また注入管１３のほかの一端は、仮配管２内を通り、空気ボンベや液体の貯蔵タンク（以下、「流体貯蔵タンク」という）と接合しており、注入管１３に設けられたコック１３１が操作されることで、流体を止水装置１側に注入したり、それを止水装置１から排出することができる。
【００２５】
シール膜１２は、上述のようにゴム膜などの弾性体であることが好ましいが、膨らみやすい素材であればよい。またシール膜１２の上流側端部および下流側端部にはシーリングを施し、シール膜１２と仮配管２との間に注入した流体が漏出しないようになっている。注入管１３から流体が孔部２１を介して、シール膜１２と仮配管２との間に注入されると、シール膜１２は隆起し、止水部材１１を既設管３側に持ち上げる。
【００２６】
止水部材１１の上流側端部は、図３に示すように自由端となっていることから、シール膜１２が隆起した状態においては止水部材１１の上流側端部がシール膜１２によって既設管３側に持ち上げられる。また、その隆起が大きくなると、止水部材１１の上流側端部付近が、既設管３の内壁に摺接する。これによって、シール膜１２が隆起した状態において、既設管３と仮配管２との間隙を止水部材１１で閉塞することが可能となる。従って、止水部材１１の管軸方向の長さは、既設管３と仮配管２との間隙よりも長くなっている。
【００２７】
次に、仮配管２を既設管３に挿入した状態において、本発明の止水装置１を用いて止水を行う状態を説明する。
【００２８】
図５に示すように、仮配管２が既設管３に挿入された状態においては、注入管１３から流体が注入されていないので、シール膜１２は仮配管２の外周面に接している。そして止水装置１を機能させる場合には、注入管１３のコック１３１を操作することで、流体貯蔵タンクから流体を注入管１３に注入し、仮配管２の孔部２１からシール膜１２と仮配管２との間に流体を注入する。
【００２９】
流体が注入されると、図６に示すように、シール膜１２が隆起し、シール膜１２によって、止水部材１１の上流側端部付近から既設管３側に持ち上げられる。
【００３０】
さらに流体が注入され続けると、図７に示すように、止水部材１１は弧を描くように曲がり、自由端である上流側端部付近が既設管３の内壁に密着する。そして、これ以上、止水部材１１が上方に持ち上げられることはなくなる。これによって、既設管３と仮配管２との間隙が閉塞される。
【００３１】
この状態で既設管３に水が流れてくると、既設管３と仮配管２との間にも水が流れてくるが、図８の状態においては、シール膜１２の膨張変形による隆起によって、止水部材１１の自由端である上流側端部が既設管３側に持ち上げられ、既設管３の内壁に摺接されている。その結果、止水部材１１によって既設管３と仮配管２との間隙を閉塞することが出来、既設管３を流れた流水が漏れるのを防止することが出来る。
【００３２】
なお、仮配管２を既設管３から取り外すなどの場合には、注入管１３のコック１３１を操作し、シール膜１２側への流体の注入を中止するとともに、内部の流体を排出する。これによって、シール膜１２の隆起が縮小し、図６の状態を経て、図５の状態に戻ることとなる。
【実施例２】
【００３３】
次に、本発明の止水装置１の別の実施態様として、止水部材１１に剛性を高めるための支持部材１１１を備える場合を説明する。この場合の止水装置１を、仮配管２の上流側先端付近に、仮配管２の外周に沿って取り付けた状態を図９に示す。また図１０に、本実施態様における止水部材１１を示す。図１０（ａ）は止水部材１１を上方から見た図、図１０（ｂ）は止水部材１１のＡ−Ａ線断面図、図１０（ｃ）は止水部材１１のＢ−Ｂ線断面図である。なお、本実施態様の説明において、実施例１と同じ部分については説明を省略する。
【００３４】
本実施態様の止水部材１１では、仮配管２側の表面、既設管３側の表面、または止水部材１１の内部に、一定以上の剛性を備えた短冊状（矩形状）の支持部材１１１が複数、止水部材１１の中央付近に設けられている。図１０では、止水部材１１の内部に支持部材１１１を備えた場合を示している。
【００３５】
図１１（ａ）に示すように、止水部材１１は主に、固定端部１１ａと閉塞部１１ｂと自由端１１ｃとから形成されている。固定端部１１ａは、止水部材１１に設けられた孔部１１２にボルトなどの固定具１４ａが挿通され、仮配管２に固定される部分である。閉塞部１１ｂは、シール膜１２の隆起により既設管３側に持ち上げられ、仮配管２と既設管３との間隙を閉塞する。また、自由端部１１ｃは、閉塞部１１ｂがシール膜１２の隆起により既設管３側に持ち上げられた状態において、既設管３の内壁面に摺接する。
【００３６】
止水部材１１が、閉塞部１１ｂに支持部材１１１を備える場合には、止水部材１１を固定具１４ａで仮配管２に取り付けた状態において、支持部材１１１は、既設管３や仮配管２内を流れる流水の進行方向に対して平行または略平行に設置されている。すなわち支持部材１１１の長辺が流水の進行方向に対して平行または略平行に位置し、短辺が流水の進行方向に対して垂直または略垂直に位置していることが好ましい。
【００３７】
支持部材１１１の剛性は、既設管３および仮配管２内の流水に対して抵抗しうる程度であれば良く、支持部材１１１としては、たとえば鉄などの金属や硬質プラスチックなどを用いることが出来る。また支持部材１１１を用いない場合の閉塞部１１ｂにこれらの素材を用いることも出来る。
【００３８】
止水部材１１の長さの関係を図１１（ａ）および図１１（ｂ）に示す。図１１（ａ）に示すように、止水部材１１の全体の長さをＬ、止水部材１１が固定具１４で固定される部分（固定端部１１ａ）の長さをｌ１、閉塞部１１ｂ（あるいは支持部材１１１）の長さをｌ２、既設管３の内壁に接する部分（自由端部１１ｃ）の長さをｌ３とすると、閉塞部１１ｂによって、既設管３内の流水による流水圧を支持するため、閉塞部１１ｂの長さｌ２は、既設管３と仮配管２との間隙の幅ｄと比較すると、ｌ２＞ｄとなる。また自由端部１１ｃの長さｌ３は、既設管３に摺接する部分であるため、ｌ３は長い方がより漏水を防止できる。
【００３９】
このような止水部材１１を用いて、シール膜１２と仮配管との間に流体を注入させると、実施例１と同様に、シール膜１２が隆起する。そしてシール膜１２の隆起により、止水部材１１も既設管３側に持ち上げられる。
【００４０】
さらに流体が注入され続けると、図１２に示すように、止水部材１１が既設管３の内壁に接し、これ以上、止水部材１１が上方に持ち上げられることはなくなる。これによって、既設管３と仮配管２との間隙が閉塞される。
【００４１】
すなわち、図１２および図１３の状態においては、シール膜１２の隆起によって、固定具１４ａ付近を支点αとして、止水部材１１の閉塞部１１ｂと自由端部１１ｃが既設管３側に持ち上げられ、閉塞部１１ｂの先端であって自由端部１１ｃの後端である点βから前方の自由端部１１ｃが既設管３の内壁に摺接され、閉塞部１１ｂによって既設管３と仮配管２との間隙が閉塞される。この状態で、閉塞部１１ｂの先端（かつ自由端部１１ｃの後端）である点βは支点αよりも、仮配管２の上流側に位置しているため、既設管３を流れた流水による流水圧が閉塞部１１ｂにかかったときに、閉塞部１１ｂには支点αを中心として下流側へのトルクが発生する。しかし閉塞部１１ｂ（あるいは閉塞部１１ｂに備えられた支持部材１１１）が、既設管３と仮配管２との間隙ｄよりも長く、かつ十分な剛性を有しているため、自由端部１１ｃの点βは、支点αの位置よりも下流側にずれることがない。むしろ、流水圧が強くなればなるほど、閉塞部１１ｂに対するトルクが強くなり、結果、点βにかかる力も強くなるので、自由端部１１ｃは、既設管３の内壁により強く密着する。従って、既設管３を流れる流水量が少ない場合はもちろん、多くなったとしても漏水のおそれがなくなることとなる。
【００４２】
なお、支持部材１１１の代わりに、閉塞部１１ｂ自体が十分に剛性を備える素材から形成され、固定端部１１ａと閉塞部１１ｂとの間、閉塞部１１ｂと自由端部１１ｃとの間がそれぞれ屈曲可能となっていても良い。
【実施例３】
【００４３】
次に、本発明の止水装置１の別の実施態様として、シール膜１２の代わりに円環状のゴムチューブ１５とずれ防止部材１６とを用いる場合を説明する。この場合の止水装置１の断面図を図１４乃至図１６に示す。本実施態様の止水装置１では、ゴムチューブ１５とずれ防止部材１６と止水部材１１と固定具１４と注入管１３とを備える。なお本実施態様においては止水装置１の止水部材１１として、実施例２のように支持部材１１１を備えた止水部材１１を用いる場合を示すが、実施例１の止水部材１１を用いても良い。
【００４４】
ゴムチューブ１５は、仮配管２の先端付近に周設される。ゴムチューブ１５には、仮配管２に穿設された孔部２１と対応する位置に孔部１５１が設けられ、仮配管２の孔部２１から、ゴムチューブ１５の孔部１５１を通り、注入管１３からの流体がゴムチューブ１５内に送り込まれる。この際に、孔部２１と孔部１５１との間の流体の注入がスムースに行われるように、バルブ（図示せず）などによってこれらの孔部２１、１５１が連結されていても良い。
【００４５】
ゴムチューブ１５はずれ防止部材１６によって、仮配管２とずれ防止部材１６との間に挟み込まれる。ずれ防止部材１６はゴムなどの弾性体によって形成されており、ゴムチューブ１５が膨張、縮小した際にその位置がずれるのを防止するために、ゴムチューブ１５を既設管３側から抑えつける形で所定の間隔をおいて設置される。なお、ずれ防止部材１６はゴムチューブ１５がほかの方法で仮配管２に固定、支持され、ずれることがないのであれば設ける必要がない。ずれ防止部材１６は、仮配管２の上流側および下流側の固定具１４ａ、１４ｂによって固定される。
【００４６】
ゴムチューブ１５よりも既設管３側（ずれ防止部材１６の既設管３側）には、止水部材１１が設けられる。止水部材１１とずれ防止部材１６は下流側の固定具１４ａによって固定される。
【００４７】
ゴムチューブ１５内に流体が注入されていない状態においては、ゴムチューブ１５内には流体がないので、図１４に示すように、ずれ防止部材１６および止水部材１１によって、ゴムチューブ１５は仮配管２の外周面に押圧されている。そして、注入管１３のコック１３１が操作され、流体貯蔵タンクから流体が、注入管１３、孔部２１、孔部１５１を介してゴムチューブ１５内に注入されると、図１５に示すように、ゴムチューブ１５が徐々に膨張し、止水部材１１の閉塞部１１ｂ、自由端部１１ｃが既設管３側に持ち上げられる。
【００４８】
そして図１６に示すように、ゴムチューブ１５内が流体で十分に充填されると、止水部材１１の自由端部１１ｃが既設管３の内壁に摺接される。この状態を保つことによって、上述と同様に、既設管３と仮配管２との間隙を閉塞する。
【００４９】
このように、実施例１、実施例２のように、シール膜１２を用いる形態ではなく、ゴムチューブ１５、ずれ防止部材１６によって止水部材１１を既設管３側に支持し、既設管３と仮配管２との間隙を閉塞しても、上述と同様の効果、すなわち、止水部材１１に、既設管３を流れた水による流水圧がかかることで、止水部材１１に流水圧に応じた力がかかり、止水部材１１からの漏水を防止することが可能となる。
【実施例４】
【００５０】
さらに本発明の止水装置１の別の実施態様として、図１７に示すように、止水装置１を仮配管２ではなく、固定用鋼材１７に取り付けても良い。図１７は、止水装置１を取り付けた固定用鋼材１７を仮配管２に取り付けた状態の断面図である。また図１８は、図１７におけるＢ付近の拡大図である。固定用鋼材１７は断面がコの字状である環状の鋼材であって、仮配管２にはボルトなどによってパッキンなどの止水材料を挟んで固定する。
【００５１】
既設管３と仮配管２との間隙が止水装置１の止水部材１１だけでは閉塞できない大きさの場合に、固定用鋼材１７を用いることで、既設管３と仮配管２との間隙の閉塞を補助することが可能となる。この場合、固定用鋼材１７のうち、止水装置１を取り付けた側には上述の孔部１７１を設け、そこに注入管１３を取り付ける。従って、コの字状の開口部が仮配管２の後方側に位置することとなるが、これ以外の方法によって固定用鋼材１７を仮配管２に取り付けても良い。すなわち、固定用鋼材１７は、既設管３と仮配管２との間隙を止水装置１で閉塞できるだけ止水装置１を仮配管２から高い位置にかさ上げして設置できるのであれば、如何なるように設置しても良い。たとえば開口部が仮配管２側となるように設置しても良い。また固定用鋼材１７としたが、止水装置１を固定できる部材であれば、鋼材でなくても良いし、その形状も問わない。
【００５２】
なお、上述の各実施例において説明した、止水部材１１を上方に隆起させる部材（隆起部材）は、本明細書では、シール膜１２やゴムチューブ１５としたが、それ以外であっても良く、ほかの構成を採ることも可能である。
【００５３】
また、上述の各実施例において説明した、隆起部材や止水部材１１を仮配管２に固定する部材（固定部材）は、本明細書では、ボルトなどの固定具１４ａ、１４ｂとしたが、それ以外であっても良く、ほかの構成を採ることも可能である。
【産業上の利用可能性】
【００５４】
上述した止水装置１を用いることによって、既設管３に仮配管２を挿入させて流水を迂回させる場合に、簡易な手段で確実に止水することが出来る。また、既設管に損傷を与えることもないので、既設管からの漏水なども懸念する必要がなくなる。
【００５５】
さらに、本発明の止水装置１によって、簡単な作業によって流水を完全に止水することが出来る。また、既設管３内の流水を止めずに作業が出来、突発的に流量が増えたとしても、その流水圧を利用して止水部材が既設管の内壁に密着するので、完全に止水出来る。そのため、配管の切替や流路変更部でのコンクリートの打設作業などを問題なく行うことが可能となる。
【符号の説明】
【００５６】
１：止水装置
２：仮配管
３：既設管
１１：止水部材
１２：シール膜
１３：注入管
１４：固定具
１５：ゴムチューブ
１６：ずれ防止部材
１７：固定用鋼材
２１：仮配管の孔部
１１１：支持部材
１３１：コック
１５１：ゴムチューブの孔部
１７１：固定用鋼材の孔部
【図１】
2013072175.tif 000003
【図２】
2013072175.tif 000004
【図３】
2013072175.tif 000005
【図４】
2013072175.tif 000006
【図５】
2013072175.tif 000007
【図６】
2013072175.tif 000008
【図７】
2013072175.tif 000009
【図８】
2013072175.tif 000010
【図９】
2013072175.tif 000011
【図１０】
2013072175.tif 000012
【図１１】
2013072175.tif 000013
【図１２】
2013072175.tif 000014
【図１３】
2013072175.tif 000015
【図１４】
2013072175.tif 000016
【図１５】
2013072175.tif 000017
【図１６】
2013072175.tif 000018
【図１７】
2013072175.tif 000019
【図１８】
2013072175.tif 000020